(57)【要約】  ポリフェノールと、乳酸菌と、を含み、少なくとも紫外線を吸収する、電磁波吸収剤。
2020067061.tif 000002
【特許請求の範囲】
【請求項１】
ポリフェノールと、乳酸菌と、を含み、少なくとも紫外線を吸収する、電磁波吸収剤。
【請求項２】
前記ポリフェノールと前記乳酸菌の加熱された混合物を含む、請求項１に記載の電磁波吸収剤。
【請求項３】
前記乳酸菌に前記ポリフェノールが付着している、請求項１又は２に記載の電磁波吸収剤。
【請求項４】
前記ポリフェノールが付着している乳酸菌どうしが凝集している、請求項３に記載の電磁波吸収剤。
【請求項５】
前記乳酸菌を０．００１重量％未満の濃度で含む、請求項１から４のいずれか１項に記載の電磁波吸収剤。
【請求項６】
前記ポリフェノールと前記乳酸菌の混合液を含む、請求項１から５のいずれか１項に記載の電磁波吸収剤。
【請求項７】
前記ポリフェノールと前記乳酸菌の粉体を含む、請求項１から５のいずれか１項に記載の電磁波吸収剤。
【請求項８】
前記ポリフェノールがクロロゲン酸を含む、請求項１から７のいずれか１項に記載の電磁波吸収剤。
【請求項９】
前記ポリフェノールがセリ科又はキク科由来である、請求項１から８のいずれか１項に記載の電磁波吸収剤。
【請求項１０】
前記セリ科が明日葉を含む、請求項９に記載の電磁波吸収剤。
【請求項１１】
前記キク科がヨモギを含む、請求項９に記載の電磁波吸収剤。
【請求項１２】
前記乳酸菌が、Ｌａｃｔｏｂａｃｉｌｌｕｓ属、Ｌａｃｔｏｃｏｃｃｕｓ属、Ｅｎｔｅｒｏｃｏｃｃｕｓ属、Ｐｅｄｉｏｃｏｃｃｕｓ属、Ｌｅｕｃｏｎｏｓｔｏｃ属、Ｓｔｒｅｐｔｏｃｏｃｃｕｓ属、及びＢｉｆｉｄｏｂａｃｔｅｒｉｕｍ属から選択される少なくともいずれかである、請求項１から１１のいずれか１項に記載の電磁波吸収剤。
【請求項１３】
青色光を吸収する、請求項１から１２のいずれか１項に記載の電磁波吸収剤。
【請求項１４】
請求項１から１３のいずれか１項に記載の電磁波吸収剤を備える日焼け止め剤。
【請求項１５】
透明部材と、
前記透明部材上に配置された、請求項１から１３のいずれか１項に記載の電磁波吸収剤と、
を備える、光学部品。
【請求項１６】
請求項１５に記載の光学部品をレンズとして備えるメガネ。
【請求項１７】
ポリフェノールと乳酸菌とを混合することを含む、少なくとも紫外線を吸収する電磁波吸収剤の製造方法。
【請求項１８】
前記ポリフェノールと前記乳酸菌とを加熱することをさらに含む、請求項１７に記載の電磁波吸収剤の製造方法。
【請求項１９】
１００℃以上で加熱する、請求項１８に記載の電磁波吸収剤の製造方法。
【請求項２０】
前記乳酸菌に前記ポリフェノールが付着する、請求項１７から１９のいずれか１項に記載の電磁波吸収剤の製造方法。
【請求項２１】
前記ポリフェノールが付着している乳酸菌どうしが凝集する、請求項２０に記載の電磁波吸収剤の製造方法。
【請求項２２】
前記乳酸菌の終濃度が０．００１重量％未満である、請求項１７から２１のいずれか１項に記載の電磁波吸収剤の製造方法。
【請求項２３】
前記混合することにおいて、前記ポリフェノールと前記乳酸菌の混合液を生成する、請求項１７から２２のいずれか１項に記載の電磁波吸収剤の製造方法。
【請求項２４】
前記ポリフェノールと前記乳酸菌の混合物の粉体を生成することをさらに含む、請求項１７から２３のいずれか１項に記載の電磁波吸収剤の製造方法。
【請求項２５】
前記ポリフェノールがクロロゲン酸を含む、請求項１７から２４のいずれか１項に記載の電磁波吸収剤の製造方法。
【請求項２６】
前記ポリフェノールがセリ科又はキク科由来である、請求項１７から２５のいずれか１項に記載の電磁波吸収剤の製造方法。
【請求項２７】
前記セリ科が明日葉を含む、請求項２６に記載の電磁波吸収剤の製造方法。
【請求項２８】
前記キク科がヨモギを含む、請求項２６に記載の電磁波吸収剤の製造方法。
【請求項２９】
前記乳酸菌が、Ｌａｃｔｏｂａｃｉｌｌｕｓ属、Ｌａｃｔｏｃｏｃｃｕｓ属、Ｅｎｔｅｒｏｃｏｃｃｕｓ属、Ｐｅｄｉｏｃｏｃｃｕｓ属、Ｌｅｕｃｏｎｏｓｔｏｃ属、Ｓｔｒｅｐｔｏｃｏｃｃｕｓ属、及びＢｉｆｉｄｏｂａｃｔｅｒｉｕｍ属から選択される少なくともいずれかである、請求項１７から２８のいずれか１項に記載の電磁波吸収剤の製造方法。
【発明の詳細な説明】
【技術分野】
【０００１】
本発明は、電磁波吸収剤、日焼け止め剤、光学部品、メガネ、及び電磁波吸収剤の製造方法に関する。
【背景技術】
【０００２】
太陽光には紫外線（ＵＶ）が含まれている。紫外線の波長帯域は、団体等により定義に若干相違があるものの、概ね１００ｎｍ以上４００ｎｍ以下とされている。紫外線は、波長の違いによる生物学的影響の違いを踏まえて、紫外線Ａ波（ＵＶ−Ａ）、紫外線Ｂ波（ＵＶ−Ｂ）、及び紫外線Ｃ波（ＵＶ−Ｃ）に分類される。紫外線Ａ波は、Ａ領域紫外線、あるいは長波長紫外線とも呼ばれ、波長帯域は、３１５ｎｍ以上４００ｎｍ以下である。紫外線Ｂ波は、Ｂ領域紫外線、あるいは中波長紫外線とも呼ばれ、波長帯域は、２８０ｎｍ以上３１５ｎｍ未満である。紫外線Ｃ波は、Ｃ領域紫外線、あるいは短波長紫外線とも呼ばれ、波長帯域は、１００ｎｍ以上２８０ｎｍ未満である。【０００３】
紫外線Ａ波は、皮膚の奥、真皮にまで浸透し、しわ、たるみ、並びにサンバーンと呼ばれる赤い日焼け及び黒い日焼けの両方の原因になる。また、紫外線Ａ波は、生体内の様々な分子に吸収され、その結果生じる活性酸素を介して、膜脂質、タンパク質、及びＤＮＡに酸化的損傷を与え、皮膚の老化に関与する。紫外線Ｂ波は、皮膚への浸透は浅いが、皮膚表面への影響が大きく、シミ、しわ、並びにサンバーン及びその後の黒い日焼けの両方の原因になる。さらに、紫外線Ｂ波は、細胞の核内にあるＤＮＡに吸収されて、ＤＮＡに損傷を与え、皮膚がんの原因になる。【０００４】
紫外線は、波長が短くなるほど生体物質へのダメージが大きくなるものの、波長が短くなるほど酸素やオゾン層に吸収される傾向にある。紫外線Ｃ波は、酸素やオゾン層に吸収され、地上ではほとんど観測されない。紫外線Ｂ波も酸素やオゾン層に吸収されるが、一部が地上に到達する。紫外線Ａ波は、大部分が地上に到達する。紫外線Ａ波は、地上に到達する紫外線の大半を占めている。そのため、紫外線Ａ波による生体物質へのダメージは無視できない。例えば、サンバーンに対する寄与率は、紫外線Ｂ波が７０％から８０％、紫外線Ａ波が２０％から３０％であるとされている。【０００５】
従来の日焼け止めは、紫外線Ａ波を吸収するオキシベンゾン及びアボベンゾン等の有機化合物を含むものがある。しかし、これらの有機化合物は、肌の炎症や肌荒れを引き起こすなどの危険性があるものと考えられている。これに対し、特許文献１は、メチロバクテリウム（Ｍｅｔｈｙｌｏｂａｃｔｅｒｉｕｍ）属を含み、３２０ｎｍから４００ｎｍの波長帯域に紫外線吸収スペクトルの吸収ピークを有する紫外線吸収剤を記載している。また、特許文献２は、少なくとも紫外線を吸収する、ラクトバシラス（Ｌａｃｔｏｂａｃｉｌｌｕｓ）属を含む電磁波吸収剤を開示している。さらに、特許文献３は、発芽ハトムギ発酵処理物が紫外線を吸収すると述べているが、実際の吸光度は不明である。
【先行技術文献】
【特許文献】
【０００６】
【特許文献１】特許第５７５１５１７号公報
【特許文献２】特開２０１７−２２２７４３号公報
【特許文献３】特開２００７−２９０９９８号公報
【発明の概要】
【発明が解決しようとする課題】
【０００７】
肌の炎症や肌荒れを引き起こすなどの危険性が低く、さらに紫外線吸収能の高い紫外線吸収剤が望まれている。本発明はこのような事情に鑑みてなされたものであり、肌の炎症や肌荒れを引き起こすなどの危険性が低く、かつ効率的に紫外線を吸収することが可能な電磁波吸収剤、日焼け止め剤、光学部品、メガネ、及び電磁波吸収剤の製造方法を提供することを目的とする。
【課題を解決するための手段】
【０００８】
本発明の一側面に係る電磁波吸収剤は、少なくとも紫外線を吸収し、ポリフェノールと、乳酸菌と、を含む。また、本発明の一側面に係る日焼け止め剤は、上記の電磁波吸収剤を備える。本発明の一側面に係る光学部品は、透明部材と、透明部材上に配置された、上記の電磁波吸収剤と、を備える。さらに、本発明の一側面に係るメガネは、上記の光学部品をレンズとして備える。またさらに、本発明の一側面に係る少なくとも紫外線を吸収する電磁波吸収剤の製造方法は、ポリフェノールと乳酸菌とを混合することを含む。
【発明の効果】
【０００９】
本発明によれば、肌の炎症や肌荒れを引き起こすなどの危険性が低く、かつ効率的に紫外線を吸収することが可能な電磁波吸収剤、日焼け止め剤、光学部品、メガネ、及び電磁波吸収剤の製造方法を提供することが可能となる。
【図面の簡単な説明】
【００１０】
【図１】実施例４に係る吸光度の計測結果を示す分光スペクトルである。
【図２】実施例５に係る吸光度の計測結果を示す表である。
【図３】実施例５に係る吸光度の計測結果を示す表である。
【発明を実施するための形態】
【００１１】
以下、本発明の実施の形態について詳細に説明する。なお以下の示す実施の形態は、この発明の技術的思想を具体化するための装置や方法を例示するものであって、この発明の技術的思想は構成部材の組み合わせ等を下記のものに特定するものではない。この発明の技術的思想は、特許請求の範囲において種々の変更を加えることができる。
【００１２】
（第１実施形態）
第１実施形態に係る電磁波吸収剤は、ポリフェノールと、乳酸菌と、を含み、少なくとも紫外線を吸収する。ポリフェノールの例としては、クロロゲン酸、カテキン、アントシアニン、タンニン、ルチン、イソフラボン、エラグ酸、リグナン、クルクミン、及びクマリンが挙げられるが、これらに限定されない。クロロゲン酸は、桂皮酸誘導体とキナ酸のエステル化合物である。ポリフェノールは天然由来であってもよいし、安全が確認された人工合成化合物であってもよい。
【００１３】
ポリフェノールは、例えば、セリ科又はキク科由来である。セリ科の例としては、シシウド属が挙げられる。シシウド属の例としては、明日葉、ノダケ、シシウド、ヨロイグサ、及びトウキが挙げられる。キク科の例としては、ヨモギ属が挙げられる。ヨモギ属の例としては、ヨモギ、オオナヨモギ、ニガヨモギ、及びタラゴンが挙げられる。実施形態に係る電磁波吸収剤は、１種類のポリフェノールを含んでいてもよいし、複数種類のポリフェノールを含んでいてもよい。セリ科及びキク科に含まれるクロロゲン酸の例としては、３，５−ジカフェオイルキナ酸、３，４−ジカフェオイルキナ酸、及び４，５−ジカフェオイルキナ酸が挙げられるが、これらに限定されない。
【００１４】
乳酸菌の例としては、Ｌａｃｔｏｂａｃｉｌｌｕｓ属、Ｌａｃｔｏｃｏｃｃｕｓ属、Ｅｎｔｅｒｏｃｏｃｃｕｓ属、Ｐｅｄｉｏｃｏｃｃｕｓ属、Ｌｅｕｃｏｎｏｓｔｏｃ属、Ｓｔｒｅｐｔｏｃｏｃｃｕｓ属、及びＢｉｆｉｄｏｂａｃｔｅｒｉｕｍ属が挙げられるが、これらに限定されない。実施形態に係る電磁波吸収剤は、１種類の乳酸菌を含んでいてもよいし、複数種類の乳酸菌を含んでいてもよい。
【００１５】
実施形態に係る電磁波吸収剤は、ポリフェノールと乳酸菌の混合物を溶液中に含んでいてもよい。あるいは、実施形態に係る電磁波吸収剤は、ポリフェノールと乳酸菌の混合物の乾燥粉体を含んでいてもよい。乳酸菌にポリフェノールが付着していることが好ましい。乳酸菌は死菌であってもよく、ポリフェノールと乳酸菌の混合物は、加熱処理されていてもよい。ポリフェノールと乳酸菌の混合物を加熱処理することにより、乳酸菌にポリフェノールが付着することが促進される。例えば、ポリフェノールが付着していない乳酸菌は白色であるが、ポリフェノールが付着している乳酸菌は黄色あるいは褐色である。したがって、乳酸菌を例えば顕微鏡観察することにより、乳酸菌にポリフェノールが付着しているか確認することが可能である。ポリフェノールと乳酸菌の混合物を加熱処理することにより、実施形態に係る電磁波吸収剤の電磁波吸収特性がさらに上昇する。
【００１６】
ポリフェノールが付着している乳酸菌どうしが凝集していてもよい。ポリフェノールが付着している乳酸菌どうしは、例えば、疎水性結合により凝集する。ポリフェノールが付着している乳酸菌どうしが凝集することにより、実施形態に係る電磁波吸収剤の電磁波吸収特性がさらに上昇する。
【００１７】
実施形態に係る電磁波吸収剤は、紫外線及び可視光線の波長帯域の少なくとも一部を吸収する。例えば、実施形態に係る電磁波吸収剤が吸収する紫外線の波長帯域は、２００ｎｍ以上４００ｎｍ以下である。実施形態に係る電磁波吸収剤が吸収する紫外線Ａ波の波長帯域は、３１５ｎｍ以上４００ｎｍ以下である。実施形態に係る電磁波吸収剤が吸収する紫外線Ｂ波の波長帯域は、２８０ｎｍ以上３１５ｎｍ以下である。実施形態に係る電磁波吸収剤が吸収する紫外線Ｃ波の波長帯域は、２００ｎｍ以上２８０ｎｍ以下である。
【００１８】
実施形態に係る電磁波吸収剤が吸収する可視光線の波長帯域は、４００ｎｍ以上、８００ｎｍ以下、７００ｎｍ以下、６５０ｎｍ以下、あるいは６００ｎｍ以下である。実施形態に係る電磁波吸収剤が吸収する可視光線の波長帯域は、４００ｎｍ以上５００ｎｍ以下の高エネルギー可視光線を含む青色光を含む。
【００１９】
実施形態に係る電磁波吸収剤は、可視光線の波長帯域においては、紫外線側の短波長帯域を長波長帯域より多く吸収する傾向にあり、紫色光及び青色光を吸収し、赤色光及び緑色光を透過させる傾向にある。そのため、実施形態に係る電磁波吸収剤の透過光は、黄色から茶色に見える傾向にある。
【００２０】
第１実施形態に係る電磁波吸収剤は、例えば０．０００１重量％以上、０．０００５重量％以上、０．００１重量％以上、０．００５重量％以上、あるいは０．０１重量％以上の濃度で乳酸菌を含む。第１実施形態に係る電磁波吸収剤は、より高濃度の乳酸菌を含んでいてもよい。ただし、第１実施形態に係る電磁波吸収剤は、乳酸菌の濃度が０．００１重量％未満のような低濃度であっても、紫外線を吸収することが可能である。第１実施形態に係る電磁波吸収剤の乳酸菌含有量は、目的とする紫外線吸収量に応じて適宜決定される。なお、従来のヨモギクリームや、明日葉クリーム等は、菌体が除去されているか、実質的に菌体を含んでいない。
【００２１】
乳酸菌は、生菌よりも、例えば加熱処理された死菌であるほうが、紫外線をより吸収する傾向にある。したがって、第１実施形態に係る電磁波吸収剤は、乳酸菌の死菌を含んでいてもよい。乳酸菌は、菌体乾燥物であってもよい。乳酸菌を菌体乾燥物にすることにより、長期間安定に保存することが可能になる。
【００２２】
紫外線は長波長のほうが皮膚に浸透しやすい傾向にある。また、紫外線Ａ波の帯域においても、長波長のほうが皮膚に浸透しやすい傾向にある。これに対し、第１実施形態に係る電磁波吸収剤は、広い波長帯域にわたって紫外線吸収効果を奏するため、紫外線が皮膚に浸透することを抑制する効果を奏する。したがって、第１実施形態に係る電磁波吸収剤は、皮膚や頭髪に外用し、日焼けによる炎症を抑制する日焼け止め剤（サンスクリーン剤）として利用可能である。また、ポリフェノールと乳酸菌を有効成分とする第１実施形態に係る電磁波吸収剤は、肌への負担が少ない。
【００２３】
ポリフェノール及び乳酸菌は体内に入っても安全であるため、幼児や老人が第１実施形態に係る電磁波吸収剤を誤飲しても安全である。
【００２４】
第１実施形態に係る電磁波吸収剤は、化粧水、乳液、クリーム、スプレー、及び美容液等のスキンケア化粧料に配合されてもよい。また、第１実施形態に係る電磁波吸収剤は、下地用化粧料、ファンデーション、口紅、フェイスカラー、及びアイライナー等のメーキャップ化粧品等に配合されてもよい。
【００２５】
実施形態に係る電磁波吸収剤は、例えば、整肌用化粧品に含まれていてもよい。整肌用化粧品の例としては、化粧水、美容液、及びパックが挙げられる。実施形態に係る電磁波吸収剤は、例えば、保護用化粧品に含まれていてもよい。保護用化粧品の例としては、保護用乳液及び保護用クリームが挙げられる。実施形態に係る電磁波吸収剤は、例えば、ベースメークアップ化粧品に含まれていてもよい。ベースメークアップ化粧品の例としては、ファンデーション、白粉、及び化粧下地が挙げられる。実施形態に係る電磁波吸収剤は、例えば、ポイントメークアップ化粧品に含まれていてもよい。ポイントメークアップ化粧品の例としては、口紅、アイメークアップ、頬紅、及びネイルエナメルが挙げられる。
【００２６】
第１実施形態に係る電磁波吸収剤は、ポリフェノールと乳酸菌の他に、色素、液体油脂、固体油脂、ロウ、炭化水素、高級脂肪酸、高級アルコール、エステル、シリコーン、アニオン界面活性剤、カチオン界面活性剤、両性界面活性剤、非イオン性界面活性剤、保湿剤、水溶性高分子、増粘剤、被膜剤、金属イオン封鎖剤、低級アルコール、多価アルコール、糖類、アミノ酸類、有機アミン類、ｐＨ調整剤、皮膚栄養剤、ビタミン類、酸化防止剤、香料、粉体、色材、及び水等の化粧品及び医薬品の配合成分を目的に応じて適宜含んでいてもよい。
【００２７】
実施形態に係る電磁波吸収剤が油性成分を含む化粧品に含まれる場合、化粧品における油性成分の濃度は、特に限定されないが、例えば、０．１質量％以上９０質量％以下、あるいは、０．５質量％以上９０質量％以下である。実施形態に係る電磁波吸収剤が水性成分を含む化粧品に含まれる場合、化粧品における水性成分の濃度は、特に限定されないが、例えば、０．１質量％以上９０質量％以下、あるいは、０．５質量％以上９０質量％以下である。化粧品における油性成分と水性成分の比は、化粧品がオイルインウォーター（Ｏ／Ｗ）型か、ウォーターインオイル（Ｗ／Ｏ）型かによって、適宜設定される。実施形態に係る電磁波吸収剤が界面活性剤を含む化粧品に含まれる場合、化粧品における界面活性剤の濃度は、特に限定されないが、例えば２質量％以上１０質量％以下である。
【００２８】
また、目的に応じて、第１実施形態に係る電磁波吸収剤は、ポリフェノールと乳酸菌の他に、有機化合物系紫外線吸収剤、及び無機化合物系紫外線散乱剤等を適宜含んでいてもよい。例えば、紫外線Ａ波を吸収しない紫外線吸収剤と、紫外線Ａ波を吸収する第１実施形態に係る電磁波吸収剤と、を併用してもよい。
【００２９】
第１実施形態に係る電磁波吸収剤は、ポリフェノールと乳酸菌とを混合することにより製造される。ポリフェノールと乳酸菌を、溶媒中で混合し、混合液を形成してもよい。ポリフェノールと乳酸菌を混合することにより、乳酸菌にポリフェノールが付着する。ポリフェノールと乳酸菌の混合物を加熱してもよい。加熱温度は、例えば１００℃以上、１１０℃以上、あるいは１２０℃以上である。加熱することにより、乳酸菌にポリフェノールが付着することが促進される。
【００３０】
ポリフェノールと乳酸菌の混合液から、ポリフェノールと乳酸菌の混合物を遠心分離等で回収してもよい。回収したポリフェノールと乳酸菌の混合物を乾燥し、ポリフェノールと乳酸菌の混合物の乾燥粉体を得てもよい。さらに、ポリフェノールと乳酸菌の混合物の乾燥粉体を溶媒に加えて、ポリフェノールと乳酸菌の混合物を含む溶液を形成してもよい。製造された電磁波吸収剤において、乳酸菌の終濃度は、０．００１重量％未満であってもよい。
【００３１】
（第２実施形態）
第２実施形態以降では第１実施形態と共通の事柄についての記述を省略し、異なる点についてのみ説明する。特に、同様の構成による同様の作用効果については実施形態毎には逐次言及しない。
【００３２】
ポリフェノールと乳酸菌を含む電磁波吸収剤は、耐紫外線材料として、皮膚外用剤以外の製品、例えば、塗料、染料、顔料、各種樹脂、合成ゴム、ラテックス、フィルム、及び繊維等に配合されてもよい。
【００３３】
例えば、第２実施形態に係る光学部品は、透明部材と、透明部材上にコーティングされた、第１実施形態で説明した電磁波吸収剤が配合されたコーティング層と、を備える。透明部材は、ガラス及び樹脂等の透明材料からなる。第２実施形態に係る光学部品は、例えば、メガネのレンズや、テレビ及びコンピュータディスプレイの透光板として利用可能である。
【００３４】
第１実施形態で説明したように、ポリフェノールと乳酸菌を含む電磁波吸収剤は高エネルギー可視光線を含む青色光を吸収するため、第２実施形態に係る光学部品は、紫外線のみならず、青色光が目に入射することを抑制する。そのため、目の疲れを抑える効果がある。また、第２実施形態に係る電磁波吸収剤は、青色光を反射するのではなく、吸収するため、光学部品に青みが生じることがない。
【００３５】
以上のとおり、本発明の各実施形態に係る電磁波吸収剤等は、上述したいずれか１つ又は複数の組み合わせによる以下の例による構成及び作用効果を有する。
【００３６】
本実施形態に係る電磁波吸収剤は、ポリフェノールと、乳酸菌と、を含む。本実施形態に係る電磁波吸収剤は、少なくとも紫外線を吸収することが可能である。また、本実施形態に係る電磁波吸収剤は、青色光を吸収することも可能である。
【００３７】
本実施形態に係る電磁波吸収剤は、ポリフェノールと乳酸菌の加熱された混合物を含んでいてもよい。乳酸菌にポリフェノールが付着していてもよい。ポリフェノールが付着している乳酸菌どうしが凝集していてもよい。これにより、紫外線吸収能が向上する。
【００３８】
本実施形態に係る電磁波吸収剤は、乳酸菌を０．００１重量％未満の濃度で含んでいてもよい。本実施形態に係る電磁波吸収剤は、乳酸菌の濃度が低くても、紫外線を吸収することが可能である。
【００３９】
本実施形態に係る電磁波吸収剤は、ポリフェノールと乳酸菌の混合液を含んでいてもよいし、ポリフェノールと乳酸菌の粉体を含んでいてもよい。いずれの形態においても、本実施形態に係る電磁波吸収剤は、紫外線を吸収することが可能である。
【００４０】
本実施形態に係る電磁波吸収剤において、ポリフェノールがクロロゲン酸を含んでいてもよい。ポリフェノールがセリ科又はキク科由来であってもよい。セリ科が明日葉を含んでいてもよい。キク科がヨモギを含んでいてもよい。乳酸菌が、Ｌａｃｔｏｂａｃｉｌｌｕｓ属、Ｌａｃｔｏｃｏｃｃｕｓ属、Ｅｎｔｅｒｏｃｏｃｃｕｓ属、Ｐｅｄｉｏｃｏｃｃｕｓ属、Ｌｅｕｃｏｎｏｓｔｏｃ属、Ｓｔｒｅｐｔｏｃｏｃｃｕｓ属、及びＢｉｆｉｄｏｂａｃｔｅｒｉｕｍ属から選択される少なくともいずれかであってもよい。ポリフェノールや乳酸菌の種類にかかわらず、本実施形態に係る電磁波吸収剤は、紫外線を吸収することが可能である。
【００４１】
本実施形態に係る日焼け止め剤は、上記の電磁波吸収剤を備える。本実施形態に係る日焼け止め剤は、人体に安全であり、紫外線を吸収することが可能である。
【００４２】
本実施形態に係る光学部品は、透明部材と、透明部材上に配置された、上記の電磁波吸収剤と、を備える。また、本実施形態に係るメガネは、上記の光学部品をレンズとして備える。本実施形態に係る光学部品及びメガネは、紫外線を吸収することが可能である。
【００４３】
本実施形態に係る電磁波吸収剤の製造方法は、ポリフェノールと乳酸菌とを混合することを含む。本実施形態に係る製造方法で製造される電磁波吸収剤は、少なくとも紫外線を吸収することが可能である。
【００４４】
本実施形態に係る電磁波吸収剤の製造方法は、ポリフェノールと乳酸菌とを加熱することをさらに含んでもよい。加熱は１００℃以上であってもよい。乳酸菌にポリフェノールが付着してもよい。ポリフェノールが付着している乳酸菌どうしが凝集してもよい。これにより、製造される電磁波吸収剤の紫外線吸収能が向上する。
【００４５】
本実施形態に係る電磁波吸収剤の製造方法において、乳酸菌の終濃度が０．００１重量％未満であってもよい。製造される電磁波吸収剤は、乳酸菌の濃度が低くても、紫外線を吸収することが可能である。
【００４６】
本実施形態に係る電磁波吸収剤の製造方法において、混合することにおいて、ポリフェノールと乳酸菌の混合液を生成してもよい。ポリフェノールと乳酸菌の混合物の粉体を生成することをさらに含んでいてもよい。いずれの形態においても、製造される電磁波吸収剤は、紫外線を吸収することが可能である。
【００４７】
本実施形態に係る電磁波吸収剤の製造方法において、ポリフェノールがクロロゲン酸を含んでいてもよい。ポリフェノールがセリ科又はキク科由来であってもよい。セリ科が明日葉を含んでいてもよい。キク科がヨモギを含んでいてもよい。乳酸菌が、Ｌａｃｔｏｂａｃｉｌｌｕｓ属、Ｌａｃｔｏｃｏｃｃｕｓ属、Ｅｎｔｅｒｏｃｏｃｃｕｓ属、Ｐｅｄｉｏｃｏｃｃｕｓ属、Ｌｅｕｃｏｎｏｓｔｏｃ属、Ｓｔｒｅｐｔｏｃｏｃｃｕｓ属、及びＢｉｆｉｄｏｂａｃｔｅｒｉｕｍ属から選択される少なくともいずれかであってもよい。ポリフェノールや乳酸菌の種類にかかわらず、製造される電磁波吸収剤は、紫外線を吸収することが可能である。
【実施例】
【００４８】
以下に本発明の実施例を説明する。ただし、本発明は以下の実施例に限定されないことはもちろんである。【００４９】
（実施例１：ヨモギからのクロロゲン酸の抽出）
ヨモギを５０℃で３日間乾燥した。乾燥後のヨモギを粉砕機で粉末状にした。次に、ソックスレー抽出機を用いて、粉末状のヨモギの溶媒可溶成分を酢酸エチル中に溶出し、ヨモギ成分溶液を得た。その後、エバポレーターを用いて、ヨモギ成分溶液から酢酸エチルを除去し、主としてクロロゲン酸等のポリフェノールを含むヨモギの成分を抽出した。なお、当該方法は、発酵工程を含まなかった。【００５０】
（実施例２：明日葉からのクロロゲン酸の抽出）
実施例１と同様の方法により、明日葉から、主としてクロロゲン酸等のポリフェノールを含む明日葉の成分を抽出した。【００５１】
（実施例３：乳酸菌の入手）
独立行政法人製品評価技術基盤機構バイオテクノロジーセンター（ＮＢＲＣ）より、乳酸菌の菌株であるＳｔｒｅｐｔｏｃｏｃｃｕｓ  ｔｈｅｒｍｏｐｈｉｌｕｓ（ＮＢＲＣ  １３９５７）、Ｌｅｕｃｏｎｏｓｔｏｃ  ｍｅｓｅｎｔｅｒｏｉｄｅｓ（ＮＢＲＣ  １１０６７６）、Ｐｅｄｉｏｃｏｃｃｕｓ  ｄａｍｎｏｓｕｓ（ＮＢＲＣ  ３８８９）、Ｌａｃｔｏｃｏｃｃｕｓ  ｌａｃｔｉｓ  ｓｕｂｓｐ．  ｌａｃｔｉｓ（ＮＢＲＣ  １２００７）、Ｌａｃｔｏｂａｃｉｌｌｕｓ  ｐｌａｎｔａｒｕｍ（ＮＢＲＣ  ３０７０）、Ｅｎｔｅｒｏｃｏｃｃｕｓ  ｆａｅｃａｌｉｓ（ＮＢＲＣ  ３９７１）、及びＢｉｆｉｄｏｂａｃｔｅｒｉｕｍ  ｂｉｆｉｄｕｍ（ＮＢＲＣ  １０００１５）を入手した。【００５２】
（実施例４：サンプル調製条件による吸光度の比較）
水溶媒中に０．０００５重量％の濃度でＬａｃｔｏｂａｃｉｌｌｕｓ  ｐｌａｎｔａｒｕｍを含む懸濁液をサンプル１として調製した。水溶媒中に０．０００５重量％の濃度のヨモギ抽出成分を含む懸濁液をサンプル２として調製した。水溶媒中に０．０００５重量％の濃度のヨモギ抽出成分と、０．０００５重量％の濃度のＬａｃｔｏｂａｃｉｌｌｕｓ  ｐｌａｎｔａｒｕｍと、を含む懸濁液をサンプル３として調製した。サンプル３を２０分間１２１℃で加熱処理し、サンプル４を調製した。サンプル４を２０分間１００００ｒｐｍで遠心分離してポリフェノールが付着した菌体を回収し、回収した菌体を自然乾燥して乾燥菌体を得た。水溶媒中に０．０００５重量％の濃度で乾燥菌体を懸濁した懸濁液をサンプル５として調製した。【００５３】
波長２００ｎｍ以上６００ｎｍ以下の帯域におけるサンプル１から５の吸光度を、紫外可視分光光度計（ＵＶ−１２８０、島津製作所）を用いて計測した。図１に示すように、菌体のみを含むサンプル１及びヨモギ抽出成分のみを含むサンプル２と比較して、菌体とヨモギ抽出成分を含むサンプル３は、ＵＶ−Ａ及びＵＶ−Ｂの帯域における吸光度が上昇し、可視光帯域においても、青色光帯域における吸光度が上昇した。さらに、サンプル３と比較して、加熱処理したサンプル４及びサンプル５は、ＵＶ−Ａ及びＵＶ−Ｂの帯域における吸光度がさらに上昇し、可視光帯域においても、青色光帯域における吸光度がさらに上昇した。なお、吸光度Ａｂｓは、セルに入れられた純水の透過光強度をＩ0、セルに入れられたサンプル溶液の透過光強度をＩtとして、下記式で与えられる。
Abs = Log10(I0/It)【００５４】
理論に拘束されるものではないが、乳酸菌表面のリン酸やカルボキシル基と、クロロゲン酸などのポリフェノールと、が溶液中で水素結合などの分子間力による弱い結合によって相互作用し、乳酸菌とポリフェノールの複合体が生成すると考えられる。乳酸菌とポリフェノールが複合体を形成することにより、乳酸菌とポリフェノールそれぞれの電気的偏りが中和される。これにより、乳酸菌とポリフェノールそれぞれに結合できる水分子の数が減少し、乳酸菌とポリフェノールの複合体は、乳酸菌単体及びポリフェノール単体と比較して疎水性が高くなると考えられる。【００５５】
乳酸菌とポリフェノールの複合体どうしは、疎水性相互作用により結合し、凝集体を形成する。そのため、サンプル３は、サンプル１、２と比較して、長波長側のＵＶ吸収特性が向上したと考えられる。【００５６】
さらに、乳酸菌とポリフェノールの複合体を熱処理することにより、乳酸菌表面のカルボキシル基とクロロゲン酸の水酸基とが縮合反応し、カルボニル基が生じると考えられる。これがクロロゲン酸の共役二重結合に影響し、熱処理された乳酸菌とポリフェノールの複合体においては、長波長側のＵＶ吸収特性が向上する。そのため、サンプル４、５は、サンプル３と比較して、長波長側のＵＶ吸収特性が向上したと考えられる。【００５７】
（実施例５：ポリフェノールの由来及び乳酸菌の種類による吸光度の比較）
水溶媒中に０．０００５重量％の濃度のヨモギ抽出成分又は明日葉抽出成分と、０．０００５重量％の濃度の各乳酸菌と、を含む懸濁液を調製した。さらに、懸濁液を２０分間１２１℃で加熱処理した。加熱処理後の各懸濁液について、波長３６５ｎｍにおける吸光度を計測した。その結果、図２及び図３に示すように、いずれの組み合わせにおいても、良好な吸光度が得られた。【００５８】
以上説明した各実施形態及び実施例は、本発明の理解を容易にするためのものであり、本発明を限定して解釈するためのものではない。本発明は、その趣旨を逸脱することなく、変更／改良され得るとともに、本発明にはその等価物も含まれる。すなわち、各実施形態及び実施例に当業者が適宜設計変更を加えたものも、本発明の特徴を備えている限り、本発明の範囲に包含される。例えば、各実施形態及び実施例が備える各要素などは、例示したものに限定されるわけではなく適宜変更することができる。また、各実施形態及び実施例は例示であり、異なる実施形態で示した構成の部分的な置換又は組み合わせが可能であることはいうまでもなく、これらも本発明の特徴を含む限り本発明の範囲に包含される。
【図１】
2020067061.tif 000003
【図２】
2020067061.tif 000004
【図３】
2020067061.tif 000005
【国際調査報告】
2020067061.tif 000006
2020067061.tif 000007
2020067061.tif 000008
2020067061.tif 000009